(57)【要約】【課題】  侵入者が居ることを正確に認識でき、防犯性を向上でき、しかも誤報により使用者に対して強い不快感や誤報感を与えることのない防犯装置を提供する。【解決手段】  警報を発する第１の警報手段１１ａと、該第１の警報手段１１ａよりも警報レベルの高い警報を発する第２の警報手段１１ｂとを設ける。複数の送信部７ａ、７ｂのうち一つの送信部７ａ（又は７ｂ）から送信した赤外線９ａ（又は９ｂ）の送信領域に侵入物が在る場合には第１の警報手段１１ａにより警報を発する。複数の送信部７ａ、７ｂのうち全ての送信部７ａ、７ｂから送信した赤外線９ａ、９ｂの送信領域に侵入物がある場合には第２の警報手段１１ｂにて警報を発する。【選択図】        図１
2005141592.tif 000002
【特許請求の範囲】
【請求項１】
住宅外溝であるフェンスの上端部近傍の異なる位置にフェンスに沿って赤外線を送信する送信部を複数設け、フェンスの上端部近傍の前記各送信部から水平方向に距離を隔てた位置に各送信部から送信した赤外線を受信する受信部を夫々設け、各受信部で受信した受信信号に基づいて各送信部から送信した赤外線の送信領域に侵入物が在るか否かを検出する侵入物検出部を設け、警報を発する第１の警報手段と、該第１の警報手段よりも警報レベルの高い警報を発する第２の警報手段とを設け、複数の送信部のうち一つの送信部から送信した赤外線の送信領域に侵入物が在る場合には第１の警報手段により警報を発し、複数の送信部のうち全ての送信部から送信した赤外線の送信領域に侵入物がある場合には第２の警報手段にて警報を発する警報手段制御部を有することを特徴とする防犯装置。
【請求項２】
上記各送信部を上下方向の異なる位置に夫々配設し、各送信部から水平方向に距離を隔てた位置に各送信部から送信される赤外線を受信する受信部を夫々設けてなることを特徴とする請求項１記載の防犯装置。
【発明の詳細な説明】
【技術分野】
【０００１】
本発明は建物外溝であるフェンスを乗り越える侵入者を検知し、この検知の際に警報を発して防犯を行う防犯装置に関する。
【背景技術】
【０００２】
この種の防犯装置としては、例えばフェンスの上方に一本の赤外線を送信する送信部と、送信部から送信した赤外線を受信する受信部とを備え、送信部から送信した赤外線を受信部にて受信し、この受信部の受信信号に基づいてフェンスの上に侵入物があるか否かを検出し、フェンスの上に侵入物がある場合には警報を発するものが知られている。そして従来ではこのような防犯装置を用いることで、侵入者がフェンスを乗り越えようとして上記一本の赤外線を遮断した場合には警報を発し、この警報により侵入者が居ることを周囲や家人に知らせたり、また侵入者を威嚇したりして防犯を行っていた。（例えば、特許文献１参照）。
【０００３】
ところで上記特許文献１に示す従来例にあっては、フェンスの上方に一本の赤外線しか形成されていないため、小動物や、敷地内の植栽、通行人等、侵入者とは別の要因により警報を発することが多々あるのだが、このものにあっては前記小動物や、植栽、通行人等の侵入者とは別の要因による誤った警報も、侵入者による警報も同じものであるため、使用者は侵入者を認識し難く、また上記誤った警報が使用者に対して不快感、や誤報の感覚を強くを与えていた。
【０００４】
そこで従来では、フェンスの上方に赤外線を発する送信部を上下方向の異なる位置に夫々設け、各送信部から発した赤外線の夫々を受信する受信部を夫々設け、２本の赤外線が同時に遮断された時にのみ警報を発し、１本だけの赤外線が遮断された場合には警報を発しないように制御するといった所謂ダブルビーム方式の防犯装置が用いられており、これにより上記誤った警報が発せられることを抑制していた。しかしこのものにあっては、侵入者がフェンスを乗り越える前の動作（例えばフェンスを乗り越える前にフェンスの上面に手を置いたり、防犯装置の動作をためすためにフェンスの上方に手をかざしたりする動作）を行った際には、一本の赤外線しか遮断されず警報を発しないことが多々あり、このような防犯装置にあっては乗り越え前の動作を行っている侵入者に対して警報を発して威嚇することができず、未然に防犯を実施することができない。さらにこの従来例にあっては、侵入者がフェンスを乗り越える動作（例えばフェンスの上面に手を置いた後に、この手で体を地面より浮き上がらせる動作等）を行っている時に初めて２本の赤外線が遮断されて警報を発することが多く、即ち侵入者の動作に合わせて異なる警報レベルの警報を段階的に発することができないため、使用者は侵入者を認識し難く、また侵入者は撤退せずに侵入を強行する恐れがあり、防犯性が低い。
【特許文献１】特開平２−２７０７２号公報
【発明の開示】
【発明が解決しようとする課題】
【０００５】
本発明は上記従来の問題点に鑑みて発明したものであって、侵入者がフェンス乗り越え動作を行う前に侵入者を威嚇でき、また乗り越えの意思が明確な侵入者をより確実に撤退させることができ、また使用者は侵入者が居ることを正確に認識でき、これらにより防犯性を向上でき、尚且つ侵入者とは別の要因により警報が発せられたとしても、使用者に対して不快感や誤報の感覚を強く与えることのない防犯装置を提供することを課題とするものである。
【課題を解決するための手段】
【０００６】
上記課題を解決するために本発明に係る防犯装置は、住宅外溝であるフェンス２の上端部近傍の異なる位置にフェンス２に沿って赤外線９ａ、９ｂを送信する送信部７ａ、７ｂを複数設け、フェンス２の上端部近傍の前記各送信部７ａ、７ｂから水平方向に距離を隔てた位置に各送信部７ａ、７ｂから送信した赤外線９ａ、９ｂを受信する受信部８ａ、８ｂを夫々設け、各受信部８ａ、８ｂで受信した受信信号に基づいて各送信部７ａ、７ｂから送信した赤外線９ａ、９ｂの送信領域に侵入物が在るか否かを検出する侵入物検出部１２を設け、警報を発する第１の警報手段１１ａと、該第１の警報手段１１ａよりも警報レベルの高い警報を発する第２の警報手段１１ｂとを設け、複数の送信部７ａ、７ｂのうち一つの送信部７ａ（又は７ｂ）から送信した赤外線９ａ（又は９ｂ）の送信領域に侵入物が在る場合には第１の警報手段１１ａにより警報を発し、複数の送信部７ａ、７ｂのうち全ての送信部７ａ、７ｂから送信した赤外線９ａ、９ｂの送信領域に侵入物がある場合には第２の警報手段１１ｂにて警報を発する警報手段制御部１３を有することを特徴とする。
【０００７】
このように警報手段制御部１３により、複数の送信部７ａ、７ｂのうち一つの送信部７ａ（又は７ｂ）から送信した赤外線９ａ（又は９ｂ）の送信領域に侵入物が在る場合には第１の警報手段１１ａにより警報を発し、複数の送信部７ａ、７ｂの内、全ての送信部７ａ、７ｂから送信した赤外線９ａ、９ｂの送信領域に侵入物がある場合には第２の警報手段１１ｂにて第１の警報手段１１ａよりも警報レベルの高い警報を発するという制御を行うことで、侵入者１４がフェンス２乗り越え前の動作を行って一本の赤外線７ａ（又は７ｂ）を遮断した場合には、第１の警報手段１１ａにより警報を発して侵入者１４を未然に威嚇でき、しかもこの後、侵入者１４が諦めずにフェンス２乗り越えの動作を行って全ての赤外線９ａ、９ｂが遮断された場合には、第２の警報手段１１ｂにより第１の警報手段１１ａよりも警報レベルの高い警報を発することができるため、この場合、侵入者１４の動作に合わせて異なる警報レベルの警報を段階的に高くして発することができ、これにより使用者は侵入者１４が居ることを正確に認識でき、しかも侵入者１４をより確実に撤退させることができる。さらに侵入者１４とは別の要因により一本の赤外線９ａ（又は９ｂ）が遮断された場合には、第１の警報手段１１ａにより第２の警報手段１１ｂよりも警報レベルの低い警報を発するだけであるため、使用者に対して不快感や誤報の感覚を強く与えることがない。
【０００８】
また上記各送信部７ａ、７ｂを上下方向の異なる位置に夫々配設し、各送信部７ａ、７ｂから水平方向に距離を隔てた位置に各送信部７ａ、７ｂから送信される赤外線９ａ、９ｂを受信する受信部８ａ、８ｂを夫々設けることが好ましい。
【０００９】
フェンス２を乗り越えようとする侵入者１４はまずフェンス２の上面に手１４ａを置いたり、フェンス２の上方に手１４ａをかざして防犯装置１の動作を確認する等の動作を行い、この後、フェンス２の上面に置いた手１４ａで体を地面より浮き上がらせるといった乗り越え動作を行うのが一般的である。即ち上記のように各送信部７ａ、７ｂを上下方向の異なる位置に夫々配設し、上下方向に複数の赤外線９ａ、９ｂを形成することで、侵入者１４がフェンス２を乗り越える前の上記動作を行った際には一本の赤外線９ａ（又は９ｂ）だけが遮断されることとなり、侵入者１４のフェンスを乗り越える前の動作をより正確に判断でき、また侵入者１４が上記乗り越え動作を行った際には上下の赤外線９ａ、９ｂの全てが遮断されることとなり、侵入者１４のフェンスを乗り越え動作をより正確に判断でき、結果、使用者は侵入者１４を一層正確に認識できる。
【発明の効果】
【００１０】
本発明では、侵入者がフェンス乗り越え動作を行う前に侵入者を未然に威嚇でき、また乗り越えの意思が明確な侵入者をより確実に撤退させることができ、また使用者は侵入者が居ることを正確に認識でき、これらにより防犯性を向上でき、尚且つ万一侵入者とは別の要因により警報が発せられたとしても、使用者に対して不快感や誤報の感覚を強く与えることのない防犯装置を提供できる。
【発明を実施するための最良の形態】
【００１１】
以下本発明の実施形態の一例を添付図面に基づいて説明する。図１中２は本例の住宅の外溝としての網目状フェンスであり、該フェンス２は基礎３（図２（ｂ）参照）に間隔を介して複数立設した支柱４の屋外側ロ（図２（ｂ）に示すイ側が屋内側であり、ロ側が屋外側である）の面に取り付けられて支柱４間を覆っている。そして上記複数の支柱４のうち任意の隣合う２本の支柱４ａ、４ｂには、本例の赤外線投受光方式により侵入物を検知する防犯装置１を設けている。
【００１２】
防犯装置１は、隣合う２本の支柱４ａ、４ｂのうち一方の支柱４ａの上端に設けた送信器５と、他方の支柱４ｂの上端に設けた受信器６とからなる。送信器５の受信器６側の面部における異なる位置にはフェンス２に沿う水平方向（以下単に水平方向と称す）に赤外線を送信（照射）する送信部７ａ、７ｂを夫々設けてあり、また受信器６の送信器５側の面部における異なる位置には各送信部７ａ、７ｂから送信する赤外線９ａ、９ｂを受信（受光）する受信部８ａ、８ｂを夫々設けている。即ちフェンス２の上端部近傍のフェンス２に直行する垂直な面上の異なる位置に送信部７ａ、７ｂを夫々配設してあり、フェンス２の上端部近傍のフェンス２に直交する垂直な面上の異なる位置に受信部８ａ、８ｂを夫々配設している。また上記各送信部７ａ、７ｂと該送信部７ａ、７ｂと対応する各受信部８ａ、８ｂは水平方向に所定距離を隔てて互いに対向しており、設置状態においては各送信部７ａ、７ｂと該送信部７ａに対向する受信部８ａ、８ｂとの間になんら遮るものがない。
【００１３】
具体的には上記両送信部７ａ、７ｂはフェンス２よりも上位に配設されており、また両送信部７ａ、７ｂは上下方向の異なる位置に夫々配設されている。これら両送信部７ａ、７ｂのうち下の送信部７ｂは上下方向においてフェンス２の上面と略同じ位置（更に具体的には上下方向においてフェンス２の上面から人の手の厚み以下の距離だけ上側に離れた箇所）で、且つ図２（ｂ）に示すようにフェンス２の厚み方向においてフェンス２の上面よりもやや屋内側イの箇所（更に具体的にはフェンス２の厚み方向において屋内側イの面と略同じ位置）に配してある。また上の送信部７ａは前述したように下の送信部７ｂから上下方向に間隔を介した位置に配してあるのだが、この間隔は上の送信部７ａから送信した赤外線９ａと下の送信部７ｂから送信した赤外線９ｂとが小鳥のような小動物により同時に遮断されることがなく、且つ前記下の赤外線９ｂと上の赤外線９ａとの間に人が通ることができない距離に設定されている。なお、上下の送信部７ａ、７ｂは上下方向にのみ位置を異ならせており、勿論、上下の受信部８ａ、８ｂも上下方向にのみ位置を異ならせている。
【００１４】
また上記防犯装置１（詳しくは受信器６）は、図４のブロック図に示すように各受信部８ａ、８ｂに電気的に接続したコントローラ１０と、第１の警報を発する第１の警報手段１１ａと、第１の警報よりも警報レベルの高い第２の警報を発する第２の警報手段１１ｂとを有しており、第１の警報手段１１ａ及び第２の警報手段１１ｂの夫々はコントローラ１０に電気的に接続されている。
【００１５】
コントローラ１０は、各受信部８ａ、８ｂで受信した受信信号を予め設定した基準値と比較判定することで各送信部７ａ、７ｂから送信される赤外線９ａ、９ｂの送信領域（照射領域）に侵入物が在るか否かを検出する侵入物検出部１２と、この侵入物検出部１２の検出結果に基づいて第１の警報手段１１ａ及び第２の警報手段１１ｂの夫々を制御する警報手段制御部１３とを備えている。
【００１６】
第１の警報手段１１ａは例えば音声発生部からなり、「防犯警戒中です」という第１の警報を発するものであって、また第２の警報手段１１ｂは例えば音声発生部及び警報音発生部からなり、「ピーピー、侵入者異常発生！」という第２の警報を発するものである。ここで、第１の警報手段１１ａと第２の警報手段１１ｂとが同じ発生部を用いる場合は兼用しても良いものとする。
【００１７】
そして上記送信器５及び受信器６からなる防犯装置１の給電線は例えば門柱の屋内側イの部分等の防犯装置１から離れた位置に設けた図示しない電源ユニットに電気的に接続してあり、これにより防犯装置１に給電がなされる。この電源ユニットから防犯装置１に給電がなされると、各送信部７ａ、７ｂから赤外線９ａ、９ｂが送信され、各受信部８ａ、８ｂは対応する送信部７ａ、７ｂから送信された赤外線９ａ、９ｂを受信（受光）する。しかしてフェンス２よりも上位に上下２本の赤外線９ａ、９ｂが形成されることとなり、防犯装置１は警戒状態に入る。
【００１８】
そしてこの警戒状態において各赤外線９ａ、９ｂが遮断された場合には、警報手段制御部１３は侵入物検出手部１２の検出結果に基づいて第１の警報手段１１ａ及び第２の警報手段１１ｂを以下のように制御する。
【００１９】
侵入物検出手部１２にて２つの送信部７ａ、７ｂのうち１つの送信部７ａ（又は７ｂ）から送信した赤外線９ａ（又は９ｂ）の送信領域に侵入物があることを検出した場合、即ち各赤外線９ａ、９ｂのうち一本の赤外線９ａ（又は９ｂ）のみが遮断された場合には、警報手段制御部１３は第１の警報手段１１ａにて第１の警報を発する。なおこの場合、上の赤外線９ａのみが遮断された場合、下の赤外線９ｂのみが遮断された場合のどちらの場合も第１の警報を発するものとするが、例えば上の赤外線９ｂが遮断された時には第１の警報を発さず、下の赤外線９ｂが遮断された時にのみ第１の警報を発するものとしても良いものとする。
【００２０】
また侵入物検出手部１２にて２つの送信部７ａ、７ｂのうち全ての送信部７ａ、７ｂから送信した赤外線９ａ、９ｂの送信領域に侵入物があることを同時に検出した場合には、警報手段制御部１３は第１の警報手段１１ａの警報を停止すると共に第２の警報手段１１ｂにて第２の警報を発する。なお上記では第２の警報手段１１ｂが警報を発する時は第１の警報を停止するものとしたが、この場合第１の警報を継続して発しても良いものとする。
【００２１】
次に具体的に侵入者１４の動作にあわせて説明すると、まず侵入者１４はフェンス２を乗り越える前にフェンス２の上面に手１４ａを置いたり、また防犯装置１の動作をためすためにフェンス２の上方に手１４ａをかざしたりといった動作を行う。上記侵入者１４がフェンス２の上面に手１４ａを置いた場合には、図２（ａ）、図２（ｂ）に示すようにフェンス２の上面に置いた手１４ａによって下の赤外線９ｂが遮断されて、侵入物検出部１２は下の赤外線９ｂの送信領域に侵入物があることを検出する。また上記侵入者１４がフェンス２上方に手１４ａをかざした場合には、フェンス２上方にかざした手１４ａにより上の赤外線９ａが遮断されて、侵入物検出手部１２は上の赤外線９ａの送信領域に侵入物があることを検出する。そして上記のように２つの送信部７ａ、７ｂのうち、一つの送信部７ａ（７ｂ）から送信した赤外線９ａ（９ｂ）の送信領域に侵入物があることを検出した場合には、警報手段制御部１３は第１の警報手段１１ａにより警報レベルの低い第１の警報を発し、この第１の警報にてフェンス２を乗り越える前の侵入者１４に対して威嚇を行うと共に周囲に侵入者１４が居ることを知らせる。
【００２２】
上記第１の警報により侵入者１４が諦めない場合は、次に侵入者１４は図３に示すようにフェンス２の上面に置いた手１４ａで体を地面より浮き上がらせるといったフェンス２乗り越え動作を行う。この場合、侵入者１４の手１４ａ及び体の一部により上下の赤外線９ａ、９ｂが同時に遮断されて、侵入物検出手部１２は上下の赤外線９ａ、９ｂの送信領域に侵入物があることを検出する。そしてこの検出により警報手段制御部１３は第２の警報手段１１ｂによって第１の警報よりも警報レベルの高い第２の警報を発し、この警報レベルの高い第２の警報にてフェンス２乗り越え動作中の侵入者１４を威嚇すると共に周囲に侵入者１４が居ることを知らせる。
【００２３】
上記のように防犯装置１は、侵入者１４の動作に合わせて異なる警報レベルの警報を段階的に高くして発することができるため、使用者は侵入者１４が居ることを正確に認識でき、また侵入者１４を確実に撤退させることができて防犯性を向上できる。
【００２４】
また特に各送信部７ａ、７ｂを上下方向の異なる位置に夫々配設し、上下方向に複数の赤外線９ａ、９ｂを形成することで、侵入者１４がフェンス２を乗り越える前の動作を行った際には一本の赤外線９ａ（又は９ｂ）だけが遮断されることとなり、侵入者１４のフェンス２乗り越え前の動作をより正確に判断でき、また侵入者１４が乗り越え動作を行った際には上下の赤外線９ａ、９ｂの全てが遮断されることとなり、侵入者１４のフェンス２乗り越え動作をより正確に判断でき、結果、使用者は侵入者１４を一層正確に認識できる。
【００２５】
また本例では上下の送信部７ａ、７ｂの間隔は下の赤外線９ｂと上の赤外線９ａとが小鳥のような小動物の移動により同時に遮断されることのない距離に設定されているため、誤った警報を防止できる。また万一、小動物や、敷地内の植栽、通行人等の侵入者１４とは別の要因により一本の赤外線９ａ（９ｂ）を遮ってしまい、これにより誤って警報を発したとしても、この場合発せられる警報は警報レベルの低い第１の警報であるので使用者の強い不快感・誤報感を軽減でき、さらにはこの場合使用者は警報レベルの低い第１の警報により防犯装置の動作を認識することもできる。
【００２６】
なお本例では、防犯装置１を隣合う支柱４ａ、４ｂのうち一方の支柱４ａの上端に設けた送信器５と、他方の支柱４ｂの上端に設けた受信器６とで構成したが、例えば、図６に示すように上記送信器５と上記受信器６とをユニット化してなる検知ユニット１５を形成し、検知ユニット１５の一側面部に送信器５を配置すると共にこれと異なる側面部（図示例では反対側の側面部）に受信器６を配置し、該検知ユニット１５を任意の隣合う支柱４ａ、４ｂの夫々の上端に設け、これら一方の検知ユニット１５の送信器５と、他方の検知ユニット１５の受信器６とで  防犯装置１を構成しても良いものとする。
【００２７】
また本例では各送信部７ａ、７ｂを上下方向の異なる位置に設けた例を示したが、例えば各送信部７ａ、７ｂをフェンス２の厚み方向の異なる位置に設けても良く、また各送信部７ａ、７ｂをフェンス２に垂直な面において上下方向とフェンス２の厚み方向との両方に位置を違えて設けても良いものとする。また送信部７ａ、７ｂをフェンス２よりも屋内側イに配設せずに、フェンス２の上方に配設しても良いものとする。また本例ではフェンス２の上端部近傍の異なる位置に送信部７ａ、７ｂを２つ設けた例を示したが、フェンス２の上端部近傍の異なる位置に送信部を３つ以上設けても良いものとする。なおこの場合、各送信部に対応する受信部も送信部と同じ数だけ設けることは勿論である。
【００２８】
また第１の警報手段１１ａ及び第２の警報手段１１ｂの夫々は上記に限定されるものではなく、例えば第１の警報手段１１ａ及び第２の警報手段１１ｂを、音声発生部、光発生部、警報音発生部等を本例とは別の組み合わせにより構成したり、また第１の警報手段１１ａと第２の警報手段１１ｂとの両方を音声発生部、光発生部、警報音発生部のいずれか一つの発生部により構成し、音声の内容、音の種類や強弱、光のパターンや強弱の違い等により第１の警報手段により発する警報の警報レベルと、第２の警報手段により発する警報の警報レベルとを違わせても良いものとする。
【００２９】
また本例ではフェンス２を網目状フェンスとしたがこれに限定されるものではなく、例えばフェンス２を住宅外溝である、壁、柵、門扉、垣根等としても良いものとする。
【図面の簡単な説明】
【００３０】
【図１】本発明の実施の形態の一例の防犯装置をフェンスの支柱に設けたものであり、図は屋内側から見た説明図である。
【図２】侵入者がフェンスの上面に手を置いた状態を示し、（ａ）は正面から見た説明図、（ｂ）は側方から見た説明図である。
【図３】侵入者がフェンスを乗り越えている状態を示し、（ａ）は正面から見た説明図、（ｂ）は側方から見た説明図である。
【図４】同上の防犯装置のブロック図である。
【図５】他例の防犯装置をフェンスの支柱に設けたものであり、図は屋内側から見た説明図である。
【図６】同上の検知ユニットを示す斜視図である。
【符号の説明】
【００３１】
１  防犯装置
７ａ  上の送信部
７ｂ  下の送信部
８ａ  上の受信部
８ｂ  下の受信部
９ａ  上の赤外線
９ｂ  下の赤外線
１１ａ  第１の警報手段
１１ｂ  第２の警報手段
１２  侵入物検出部
１３  警報手段制御部
１４  侵入者
１４ａ  手
【図１】
2005141592.tif 000003
【図２】
2005141592.tif 000004
【図３】
2005141592.tif 000005
【図４】
2005141592.tif 000006
【図５】
2005141592.tif 000007
【図６】
2005141592.tif 000008